【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
複数の動作状態をサポートする無線ネットワークアクセスポイントを動作させる方法であって、
前記複数の状態のうちのある状態におけるアプリケーション又は無線クライアントによる前記アクセスポイントの使用を示すイベントを検出するステップと、
前記イベントの検出に応答して、前記イベント及び１つ以上の以前のイベントを表す状態情報に基づいて前記アクセスポイントの動作状態を選択するステップであって、各々の以前のイベントは、前記複数の状態のうちのある状態におけるアプリケーション又は無線クライアントによる前記アクセスポイントの使用を示し、前記状態情報は前記無線ネットワークアクセスポイントの使用の少なくとも１つの状態にあるアプリケーション及び／又は無線クライアントの数を示す、ステップと、
前記選択された状態で動作するように前記アクセスポイントを設定するステップと
を含む方法。
【請求項２】
前記イベントの検出に応答して、前記状態情報を更新するステップをさらに含む請求項１に記載の方法。
【請求項３】
前記複数の動作状態が、
前記アクセスポイントが無線装置に信号送信し、無線装置からの接続要求をリスンするアクティブ状態と、
前記アクセスポイントが無線装置に信号送信せず、無線装置からの接続要求をリスンしない非アクティブ状態と、
前記アクセスポイントが無線装置からの接続要求をリスンするが無線装置に信号送信しないサイレント状態と
を含む請求項２に記載の方法。
【請求項４】
前記アクセスポイントが前記非アクティブ状態にあり、前記イベントが前記アクセスポイントを開始するためのアプリケーションからのコマンドを含む場合、
前記動作状態を選択するステップは前記サイレント状態を選択するステップを含み、
前記状態情報を更新するステップは、１つのアプリケーションが前記アクセスポイントのサイレント状態の動作を要求したという指示を格納するステップを含む請求項３に記載の方法。
【請求項５】
前記アクセスポイントが前記サイレント状態にあり、前記イベントが前記アクセスポイントを開始するためのアプリケーションからのコマンドを含む場合、
前記動作状態を選択するステップは前記サイレント状態を選択するステップを含み、
前記状態情報を更新するステップは、前記アクセスポイントのサイレント状態の動作を要求するアプリケーションの数の指示を増加させるステップを含む請求項４に記載の方法。
【請求項６】
前記アクセスポイントが前記サイレント状態にあり、前記イベントが前記アクセスポイントを停止させるためのアプリケーションからのコマンドを含む場合、
前記動作状態を選択するステップは、サイレント状態の動作を要求するアプリケーションの数の前記指示が１より大きい場合に、前記サイレント状態を選択するステップを含み、
前記状態情報を更新するステップは、前記アクセスポイントのサイレント状態の動作を要求するアプリケーションの数の指示を減少させるステップを含み、
前記動作状態を選択するステップは、サイレント状態の動作を要求するアプリケーションの数の更新された指示がいかなるアプリケーションも示さない場合、前記非アクティブ状態を選択するステップを含む請求項５に記載の方法。
【請求項７】
前記アクセスポイントが前記サイレント状態にあり、前記イベントが前記アクセスポイントに通知するためのアプリケーションからのコマンドを含む場合、
前記動作状態を選択するステップは前記アクティブ状態を選択するステップを含み、
前記状態情報を更新するステップは、１つのアプリケーションが前記アクセスポイントによる信号送信を要求したという指示を格納するステップを含む請求項３に記載の方法。
【請求項８】
前記アクセスポイントが前記アクティブ状態にあり、前記イベントが前記アクセスポイントに通知するためのアプリケーションからのコマンドを含む場合、
前記動作状態を選択するステップは前記アクティブ状態を選択するステップを含み、
前記状態情報を更新するステップは、前記アクセスポイントによる信号送信を要求したアプリケーションの数の指示を増加させるステップを含む請求項７に記載の方法。
【請求項９】
前記アクセスポイントが前記アクティブ状態にあり、前記イベントが前記アクセスポイントを隠すためのアプリケーションからのコマンドを含む場合、
前記動作状態を選択するステップは、前記アクセスポイントによる信号送信を要求したアプリケーションの数の指示が２つ以上のアプリケーションが信号送信を要求したことを示す場合に、前記アクティブ状態を選択するステップを含み、
前記状態情報を更新するステップは、前記アクセスポイントによる信号送信を要求したアプリケーションの数の指示を減少させるステップを含み、
前記動作状態を選択するステップは、前記アクセスポイントによる信号送信を要求したアプリケーションの数の更新された指示が、いかなるアプリケーションも信号送信を要求していないことを示す場合に、前記サイレント状態を選択するステップを含む請求項８に記載の方法。
【請求項１０】
コンピューター実行可能命令を含むコンピューター記憶媒体であって、前記コンピューター実行可能命令は、
実行されると、
アプリケーションからコマンドを受信し、
前記コマンド及びアクセスポイントの動作に関連する格納された状態情報に基づいて、前記アクセスポイントの動作状態を決定し、前記格納された状態情報は前記アクセスポイントを使用するアプリケーションの数のカウント及び／又は前記アクセスポイントに関連付けられる無線クライアント装置の数のカウントを含み、
前記アクセスポイントを前記決定された動作状態に設定するための、前記アクセスポイントに対するコマンドを生成する
ように構成された、前記アクセスポイントのためのインターフェース
を含む、コンピューター記憶媒体。
【請求項１１】
前記インターフェースは、
無線装置との成功した関連付けの指示を前記アクセスポイントから受信し、
前記無線装置が前記アクセスポイントと関連付けられることを示すように前記格納された状態情報を更新する
ようにさらに構成される請求項１０に記載のコンピューター記憶媒体。
【請求項１２】
前記インターフェースは、
以前に関連付けられた無線装置の切断の指示を前記アクセスポイントから受信し、
以前に関連付けられた無線装置の前記切断及び前記アクセスポイントの動作に関連する格納された状態情報に基づいて前記アクセスポイントの動作状態を決定し、
前記無線装置が前記アクセスポイントから切断されることを示すように前記格納された状態情報を更新する
ようにさらに構成される請求項１１に記載のコンピューター記憶媒体。
【請求項１３】
前記インターフェースは、信号送信要求を表すカウントを１だけ増加させることによって、前記無線装置が前記アクセスポイントに関連付けられることを示すよう、前記格納された状態情報を更新するように構成される請求項１２に記載のコンピューター記憶媒体。
【請求項１４】
前記インターフェースは、以前に関連付けられた無線装置の切断の指示を受信することに応答して、
信号送信要求のカウントを１だけ減少させ、
前記減少が前記信号送信要求のカウントを０へと減少させる場合、動作状態を、前記アクセスポイントがアクティブに信号送信をしない状態となるよう決定することにより、前記以前に関連付けられた無線装置の切断及び前記格納された状態情報に基づいて、前記アクセスポイントの動作状態を決定する
ように構成される請求項１３に記載のコンピューター記憶媒体。
【請求項１５】
前記インターフェースは、
アクティブに信号送信するためのコマンドをアプリケーションから受信することに応答して、信号送信要求を表すカウントを１だけ増加させ、
前記アクセスポイントを隠すためのコマンドをアプリケーションから受信することに応答して、信号送信要求を表すカウントを１だけ減少させる
ように構成される請求項１４に記載のコンピューター記憶媒体。
【請求項１６】
アクティブ状態、非アクティブ状態及びサイレント状態を含む複数の状態で動作するよう設定可能なアクセスポイントと、
複数のアプリケーション、並びに、
前記複数のアプリケーションのうちのあるアプリケーションからコマンドを受信し、
無線装置との成功した関連付けの指示を前記アクセスポイントから受信し、
以前に関連付けられた無線装置の前記アクセスポイントからの切断の指示を前記アクセスポイントから受信し、
前記アクセスポイントの動作及び前記コマンドの１つ以上に関連する格納された状態情報、前記成功した関連付けの指示及び前記切断の指示に基づいて、前記アクセスポイントの動作状態を決定し、
前記アクセスポイントを前記決定された動作状態にする前記アクセスポイントに対するコマンドを生成し、前記決定された動作状態は、
前記非アクティブ状態、及び少なくとも１つの無線装置との通信を開始するよう前記アクセスポイントに要求するコマンドを含む前記コマンドを含む前記格納された状態情報、
前記アクティブ状態、及び前記アクセスポイントを隠すよう前記アクセスポイントに要求する前記アクティブ状態で動作する最後のアプリケーションからのコマンドを含む前記コマンドを含む前記格納された状態情報、又は
前記アクティブ状態、及び前記アクティブ状態で動作する最後の無線装置が前記アクセスポイントから切断されたとの指示を含む前記切断の指示を含む前記格納された状態情報
のうちの少なくとも１つに基づく前記サイレント状態を含む
ように構成される、前記アクセスポイントのためのインターフェース
を含むコンピューター実行可能命令を含むメモリーと
を備える計算装置。
【請求項１７】
複数のカウンターをさらに備え、前記格納された状態情報は前記複数のカウンターにおける値を含む請求項１６に記載の計算装置。
【請求項１８】
前記複数のカウンターのうちの第１のカウンターは関連付けられる無線装置の数のカウントを格納し、
前記インターフェースは、以前に関連付けられた無線装置の切断の指示を受信することに応答して、前記第１のカウンターを１だけ減少させるように構成される請求項１７に記載の計算装置。
【請求項１９】
前記複数のカウンターのうちの第２のカウンターは前記アクセスポイントを開始させるための受信されるコマンドの数のカウントを格納し、
前記インターフェースは、前記アクセスポイントを停止させるコマンドの受信に応答して、前記第２のカウンターを１だけ減少させるように構成される請求項１８に記載の計算装置。
【請求項２０】
前記複数のアプリケーションは、データを無線装置と同期させるように構成される少なくとも１つのアプリケーションを含む請求項１７に記載の計算装置。